(57)【要約】【課題】座りながらストレッチ運動を行なう場合に使いやすい握り部を提供する。張り地等の汚れを防止する。【解決手段】椅子用ストレッチ補助具１は、椅子への取付部と、椅子から突出し、着座者がストレッチ運動時に掴むことが可能な握り部１ｂとを備えている。また、椅子用つぼ押し具３は、椅子への取付部と、着座者のつぼを刺激する突起１７を備えている。椅子は、椅子用ストレッチ補助具１と、椅子用ストレッチ補助具１が取り付けられる第１の被取付部と、椅子用つぼ押し具３と、椅子用つぼ押し具３が取り付けられる第２の被取付部を備えている。第１の被取付部と第２の被取付部は共通のものであり、椅子用つぼ押し具３の取付部は、椅子用ストレッチ補助具１の取付部と一緒に取り付けられている。【選択図】図１
2010172450.tif 000002
【特許請求の範囲】
【請求項１】
椅子への取付部と、椅子から突出し着座者がストレッチ運動時に掴むことが可能な握り部とを備えることを特徴とする椅子用ストレッチ補助具。
【請求項２】
前記取付部は、前記椅子の座、背もたれ、ヘッドレストのいずれかに取り付けられるものであることを特徴とする請求項１記載の椅子用ストレッチ補助具。
【請求項３】
前記取付部は、前記椅子の肘掛けに代えて前記肘掛けの被取付部に取り付けられるものであることを特徴とする請求項１記載の椅子用ストレッチ補助具。
【請求項４】
前記握り部に着座者のつぼを刺激する突起が設けられていることを特徴とする請求項１記載の椅子用ストレッチ補助具。
【請求項５】
椅子への取付部と、着座者のつぼを刺激する突起を備えることを特徴とする椅子用つぼ押し具。
【請求項６】
前記椅子の身体支持面に被されるシート状部材を備え、前記突起は前記シート状部材に設けられていることを特徴とする請求項５記載の椅子用つぼ押し具。
【請求項７】
前記身体支持面のサイズに応じて伸縮可能なサイズ調整部を備えることを特徴とする請求項６記載の椅子用つぼ押し具。
【請求項８】
前記取付部は、前記椅子の座、背もたれ、ヘッドレスト、脚羽根のいずれかに取り付けられるものであることを特徴とする請求項５記載の椅子用つぼ押し具。
【請求項９】
請求項１から４のいずれか一つに記載の椅子用ストレッチ補助具と、前記椅子用ストレッチ補助具の前記取付部が取り付けられる被取付部を備えることを特徴とする椅子。
【請求項１０】
請求項５から８のいずれか一つに記載の椅子用つぼ押し具と、前記椅子用つぼ押し具の前記取付部が取り付けられる被取付部を備えることを特徴とする椅子。
【請求項１１】
請求項１から４のいずれか一つに記載の椅子用ストレッチ補助具と、前記椅子用ストレッチ補助具が取り付けられる第１の被取付部と、請求項５から８のいずれか一つに記載の椅子用つぼ押し具と、前記椅子用つぼ押し具が取り付けられる第２の被取付部を備えることを特徴とする椅子。
【請求項１２】
前記第１の被取付部と前記第２の被取付部は共通のものであり、前記椅子用つぼ押し具の前記取付部は、前記椅子用ストレッチ補助具の前記取付部と一緒に取り付けられていることを特徴とする請求項１１記載の椅子。
【請求項１３】
前面に着座者の頭のつぼを刺激する突起が設けられているヘッドレストを備えることを特徴とする請求項９から１２のいずれか一つに記載の椅子。
【請求項１４】
突出し着座者がストレッチ運動時に掴むことが可能な握り部が、座、背もたれ、ヘッドレストのうち少なくともいずれか一つに一体成形されていることを特徴とする椅子。
【請求項１５】
着座者のつぼを刺激する突起が、座、背もたれ、ヘッドレスト、脚羽根のうち少なくともいずれか一つに一体成形されていることを特徴とする椅子。
【請求項１６】
突出し着座者がストレッチ運動時に掴むことが可能な握り部が、座、背もたれ、ヘッドレストのうち少なくともいずれか一つに一体成形されていると共に、着座者のつぼを刺激する突起が、座、背もたれ、ヘッドレスト、脚羽根のうち少なくともいずれか一つに一体成形されていることを特徴とする椅子。
【発明の詳細な説明】
【技術分野】
【０００１】
本発明は、椅子用ストレッチ補助具、椅子用つぼ押し具、および椅子に関する。
【背景技術】
【０００２】
従来、椅子に座りながら身体の一部を伸ばしたり捻ったりするストレッチ運動を行なう場合、着座者は椅子の背もたれ等の端部を掴むことで身体を支えていた。例えば、職場で事務仕事を行なっている最中に小休止してストレッチ運動を行なう場合には、座っている事務用椅子の背もたれの端部を掴んでいた。また、一般的な事務用椅子では、着座者の身体を面で支持している。なお、一般的な事務用椅子として、例えば特開平５−２９３０２２号公報に開示されている事務用椅子がある。
【先行技術文献】
【特許文献】
【０００３】
【特許文献１】特開平５−２９３０２２号公報
【発明の概要】
【発明が解決しようとする課題】
【０００４】
しかしながら、背もたれの端部は身体からの距離が近く、ストレッチ運動を行ないながら掴む場所としては不適切である。また、椅子の背もたれはストレッチ運動時に掴むことを想定したものではないため、必ずしも掴み易いものとは言えない。さらに、通常、背もたれは張り地等で覆われており、ストレッチ運動時に掴むことでその部分の張り地等が汚れることがある。また、一般的な事務用椅子では、着座者の身体を面で支持しているので、座りながら指圧効果を得ることができない。
【０００５】
本発明は、座りながらストレッチ運動を行なう場合に使いやすい握り部を設けることができ、且つ張り地等の汚れを防止する椅子用ストレッチ補助具を提供することを目的とする。また、本発明は、座ることで指圧効果を得ることができる突起を設けることが可能な椅子用つぼ押し具を提供することを目的とする。さらに、本発明は、座りながらのストレッチ運動を行なうのに適した椅子、座ることで指圧効果を得ることができる椅子、座りながらのストレッチ運動を行なうのに適し且つ座ることで指圧効果を得ることができる椅子を提供することを目的とする。
【課題を解決するための手段】
【０００６】
かかる目的を達成するために請求項１記載の椅子用ストレッチ補助具は、椅子への取付部と、椅子から突出し着座者がストレッチ運動時に掴むことが可能な握り部とを備えるものである。したがって、椅子に取り付けて使用される。椅子に取り付けることで、当該椅子に握り部を設けることができる。着座者は握り部を掴みながらストレッチ運動を行うことができる。
【０００７】
また、請求項２記載の椅子用ストレッチ補助具は、取付部が、椅子の座、背もたれ、ヘッドレストのいずれかに取り付けられるものである。したがって、座、背もたれ、ヘッドレストのいずれかに取り付けられて使用される。
【０００８】
また、請求項３記載の椅子用ストレッチ補助具は、取付部が、椅子の肘掛けに代えて肘掛けの被取付部に取り付けられるものである。したがって、肘掛けの代わりに座に取り付けられて使用される。
【０００９】
また、請求項４記載の椅子用ストレッチ補助具は、握り部に着座者のつぼを刺激する突起が設けられているものである。したがって、握り部を掴むと突起が掌のつぼに当たり、指圧効果を得ることができる。
【００１０】
また、請求項５記載の椅子用つぼ押し具は、椅子への取付部と、着座者のつぼを刺激する突起を備えるものである。したがって、椅子に取り付けて使用される。椅子に取り付けることで、当該椅子につぼ刺激用の突起を設けることができる。椅子用つぼ押し具を取り付けた椅子に腰かけると、突起が着座者のつぼに当たり、指圧効果を得ることができる。
【００１１】
また、請求項６記載の椅子用つぼ押し具は、椅子の身体支持面に被されるシート状部材を備え、突起はシート状部材に設けられているものである。したがって、着座者の支持面に被されて使用される。ここで、着座者の支持面としては、例えば座の上面、背もたれの前面、ヘッドレストの前面等である。
【００１２】
また、請求項７記載の椅子用つぼ押し具は、身体支持面のサイズに応じて伸縮可能なサイズ調整部を備えるものである。したがって、サイズ調整部を伸縮させると、椅子用つぼ押し具の長さが変化し、椅子用つぼ押し具を取り付ける身体支持面のサイズに合わせて長さ調整可能になる。
【００１３】
また、請求項８記載の椅子用つぼ押し具は、取付部が、椅子の座、背もたれ、ヘッドレスト、脚羽根のいずれかに取り付けられるものである。したがって、座、背もたれ、ヘッドレスト、脚羽根のいずれかに取り付けられて使用される。
【００１４】
また、請求項９記載の椅子は、請求項１から４のいずれか一つに記載の椅子用ストレッチ補助具と、椅子用ストレッチ補助具の取付部が取り付けられる被取付部を備えるものである。したがって、着座者がストレッチ運動時に掴むことが可能な握り部を備えた椅子が提供される。着座者は握り部を掴みながらストレッチ運動を行うことができる。
【００１５】
また、請求項１０記載の椅子は、請求項５から８のいずれか一つに記載の椅子用つぼ押し具と、椅子用つぼ押し具の取付部が取り付けられる被取付部を備えるものである。したがって、着座者のつぼを刺激することができる突起を備えた椅子が提供される。椅子に腰かけることでつぼ押し具の突起が着座者のつぼに当って刺激する。
【００１６】
また、請求項１１記載の椅子は、請求項１から４のいずれか一つに記載の椅子用ストレッチ補助具と、椅子用ストレッチ補助具が取り付けられる第１の被取付部と、請求項５から８のいずれか一つに記載の椅子用つぼ押し具と、椅子用つぼ押し具が取り付けられる第２の被取付部を備えるものである。したがって、着座者がストレッチ運動時に掴むことが可能な握り部と、着座者のつぼを刺激することができる突起を備えた椅子が提供される。
【００１７】
また、請求項１２記載の椅子は、第１の被取付部と第２の被取付部が共通のものであり、椅子用つぼ押し具の取付部は、椅子用ストレッチ補助具の取付部と一緒に取り付けられるものである。したがって、椅子用つぼ押し具と椅子用ストレッチ補助具とを一緒に取り付けることができる。
【００１８】
さらに、請求項１３記載の椅子は、前面に着座者の頭のつぼを刺激する突起が設けられているヘッドレストを備えるものである。したがって、着座者が頭をヘッドレストの前面に載せると、突起が頭のつぼに当たり、指圧効果を得ることができる。
【００１９】
また、請求項１４記載の椅子は、突出し着座者がストレッチ運動時に掴むことが可能な握り部を、座、背もたれ、ヘッドレストのうち少なくともいずれか一つに一体成形したものである。したがって、着座者は握り部を掴みながらストレッチ運動を行うことができる。
【００２０】
また、請求項１５記載の椅子は、着座者のつぼを刺激する突起を、座、背もたれ、ヘッドレスト、脚羽根のうち少なくともいずれか一つに一体成形したものである。したがって、椅子に腰かけると、突起が着座者のつぼに当たり、指圧効果を得ることができる。
【００２１】
さらに、請求項１６記載の椅子は、突出し着座者がストレッチ運動時に掴むことが可能な握り部を、座、背もたれ、ヘッドレストのうち少なくともいずれか一つに一体成形すると共に、着座者のつぼを刺激する突起を、座、背もたれ、ヘッドレスト、脚羽根のうち少なくともいずれか一つに一体成形したものである。したがって、腰かけることで指圧効果を得ることができると共に、着座者は握り部を掴みながらストレッチ運動を行うことも可能になる。
【発明の効果】
【００２２】
請求項１記載の椅子用ストレッチ補助具では、椅子に取り付けるだけで、当該椅子を、座りながらのストレッチ運動を行なうのに適したものにすることができる。握り部は椅子から突出しているので、身体から適度に離れた位置に配置され、着座者にとって掴み易いものとなる。また、握り部は掴みやすいものであり、手が滑る等して外れ難く、ストレッチ運動がし易くなる。さらに、座や背もたれ等を直接掴むことにはならないので、張り地等を汚し難くなる。また、椅子から取り外すことで元の椅子に戻すことができる。
【００２３】
また、請求項２記載の椅子用ストレッチ補助具では、椅子の座、背もたれ、ヘッドレストのいずれかに取り付けて使用することができる。
【００２４】
また、請求項３記載の椅子用ストレッチ補助具では、肘掛けの被取付部を利用して椅子に取り付けることができるので、ストレッチ補助具専用の被取付部をわざわざ椅子に設ける必要がなく、製造コストの増加を抑えることができる。
【００２５】
また、請求項４記載の椅子用ストレッチ補助具では、ストレッチ運動を行ないながら掌のつぼを刺激して指圧効果も一緒に得ることができる。
【００２６】
また、請求項５記載の椅子用つぼ押し具では、椅子に取り付けるだけで当該椅子を指圧効果を得ることができるものにすることができる。また、椅子から取り外すことで元の椅子に戻すことができる。
【００２７】
また、請求項６記載の椅子用つぼ押し具では、着座者のつぼを刺激することができる位置に突起を設けることが容易になる。
【００２８】
また、請求項７記載の椅子用つぼ押し具では、身体支持面のサイズに合わせてシート状部材の長さを調整することができるので、サイズ別にシート状部材を造る必要がなくなり、製造コストの増加を抑えることができると共に、汎用性を高めることができる。
【００２９】
また、請求項８記載の椅子用つぼ押し具では、椅子の座、背もたれ、ヘッドレスト、脚羽根のいずれかに取り付けて使用することができる。
【００３０】
また、請求項９記載の椅子では、椅子用ストレッチ補助具が取り付けられているので、座りながらストレッチ運動を行なうのに適した椅子を提供することができる。
【００３１】
また、請求項１０記載の椅子では、椅子用つぼ押し具が取り付けられているので、座って体重を掛けるだけで指圧効果を得ることができる。
【００３２】
また、請求項１１記載の椅子では、座りながらストレッチ運動を行なうのに適し、且つ座って体重を掛けるだけで指圧効果を得ることができる椅子を提供することができる。
【００３３】
また、請求項１２記載の椅子では、つぼ押し具とストレッチ補助具とを一緒に取り付けることができるので、取り付け、取り外し作業が容易になると共に、共通化による部品コストの低減を図ることができる。
【００３４】
また、請求項１３記載の椅子では、座りながら頭のつぼを刺激することができる。
【００３５】
また、請求項１４記載の椅子のように、突出し着座者がストレッチ運動時に掴むことが可能な握り部を、座、背もたれ、ヘッドレストのうち少なくともいずれか一つに一体成形しても良く、請求項１５記載の椅子のように、着座者のつぼを刺激する突起を、座、背もたれ、ヘッドレスト、脚羽根のうち少なくともいずれか一つに一体成形しても良い。また、請求項１６記載の椅子のように、そのような握り部と突起の両方を設けても良い。握り部や突起を一体成形しておくことで、別々に形成して取り付ける場合に比べて製造コストを安くすることができる。
【図面の簡単な説明】
【００３６】
【図１】本発明の椅子の第１の実施形態を示す斜視図である。
【図２】同椅子の背もたれの被取付部につぼ押し具およびストレッチ補助具を取り付ける様子を示す分解斜視図である。
【図３】同椅子の座の被取付部につぼ押し具およびストレッチ補助具を取り付ける様子を示す座の底面図である。
【図４】椅子用ストレッチ補助具を示し、（Ａ）は平面図、（Ｂ）は側面図である。
【図５】座又は背もたれに取り付けるタイプの椅子用つぼ押し具を示し、（Ａ）は平面図、（Ｂ）は側面図である。
【図６】脚羽根に取り付けるタイプの椅子用つぼ押し具を示し、（Ａ）は平面図、（Ｂ）は斜視図である。
【図７】ヘッドレストを示し、（Ａ）は正面図、（Ｂ）は側面図である。
【図８】本発明の椅子の第２の実施形態を示す斜視図である。
【図９】本発明の椅子の第３の実施形態を示す斜視図である。
【図１０】本発明の椅子の第４の実施形態を示す斜視図である。
【図１１】本発明の椅子の第５の実施形態を示す斜視図である。
【図１２】本発明の椅子の第６の実施形態を示す斜視図である。
【図１３】同椅子の座の被取付部にストレッチ補助具を取り付ける様子を示す座の底面図である。
【図１４】椅子用ストレッチ補助具の他の実施形態を示す平面図である。
【図１５】椅子用つぼ押し具の他の実施形態を示す平面図である。
【発明を実施するための形態】
【００３７】
以下、本発明の構成を図面に示す最良の形態に基づいて詳細に説明する。
【００３８】
図１〜図３に本発明を適用した椅子の第１の実施形態を示す。本実施形態では、事務用椅子に適用しているが、適用可能な椅子は事務用椅子に限るものではない。椅子は、ストレッチ補助具１と、ストレッチ補助具１が取り付けられる第１の被取付部２と、つぼ押し具３と、つぼ押し具３が取り付けられる第２の被取付部４を備えている。本実施形態では、第１の被取付部２と第２の被取付部４は共通のもの（以下、被取付部５という）であり、つぼ押し具３の取付部３ａは、ストレッチ補助具１の取付部１ａと一緒に取り付けられている。
【００３９】
本実施形態では、共通の被取付部５を椅子の座６と背もたれ７に設けると共に、つぼ押し具３のみを取り付ける第２の被取付部４を脚羽根８に設けている。被取付部４，５は、ストレッチ補助具１やつぼ押し具３を取り付けようとする位置に設けられている。
【００４０】
背もたれ７に設ける共通の被取付部５は、例えば背もたれ７の裏面に設けられている。ただし、必ずしも裏面に設ける必要はなく、裏面以外の場所、例えば側面、上面等に設けても良い。本実施形態では裏面の左右両側部の上部近傍に被取付部５がそれぞれ設けられている。また、本実施形態では、ストレッチ補助具１及びつぼ押し具３を取り付ける手段として２本のねじ９を使用しているので、被取付部５には２つのねじ孔１０が設けられている。なお、図２，３では、ねじ９の記載を省略している。
【００４１】
座６に設ける共通の被取付部５は、例えば座６の下面に設けられている。ただし、必ずしも下面に設ける必要はなく、下面以外の場所、例えば側面、後面、前面等に設けても良い。本実施形態では、座６の下部はアウタシェル１１によって構成されているので、アウタシェル１１の下面に被取付部５を設けている。また、背もたれ７に左右一対の被取付部５が設けられているのと同様に、座６にも左右一対の被取付部５が設けられている。具体的には、アウタシェル１１の下面の左右両側部のほぼ中央位置に被取付部５が設けられている。なお、アウタシェル１１の当該位置には一般に肘掛け２１を取り付けるための被取付部が設けられているので、本実施形態では、この肘掛け２１用の被取付部をそのまま利用して被取付部５としている。即ち、座６に肘掛け２１を取り付ける代わりに、ストレッチ補助具１及びつぼ押し具３を取り付けるようにしている。肘掛け２１を取り付けるためには例えば３本のねじが使用されるので、肘掛け２１用の被取付部には３つのねじ孔１０が設けられている。しかしながら、本実施形態では、ストレッチ補助具１及びつぼ押し具３の取付手段として２本のねじ９を使用するので、３つのねじ孔１０のうち、外側に設けられた２つのねじ孔１０を使用する。ただし、ストレッチ補助具１およびつぼ押し具３の取付手段として３本のねじ９を使用しても良い。なお、図３には、片方の肘掛け２１を座６に取り付けている様子を２点鎖線で示しているが、これは説明の便宜のためであり、左右の肘掛け２１に代えてストレッチ補助具１とつぼ押し具３を取り付けるものである。
【００４２】
脚羽根８に設ける第２の被取付部４は、例えば脚羽根８の上面に設けられている。ただし、必ずしも上面に設ける必要はなく、上面以外の場所、例えば側面、下面等に設けても良い。本実施形態では、２本の脚羽根８の先端部の上面を第２の被取付部４にしている。第２の被取付部４には取付ピン１３（図６）が挿入可能な小孔１４が設けられている。
【００４３】
図４に椅子用ストレッチ補助具１を示す。ストレッチ補助具１は、椅子への取付部１ａと、椅子から突出し着座者がストレッチ運動時に掴むことが可能な握り部１ｂとを備えている。本実施形態のストレッチ補助具１は、金属製の丸パイプをＵ字形状に曲げることで形成されている。ただし、このような形状の丸パイプに限るものではない。また、丸パイプに代えて、角パイプ等を使用しても良く、さらには中空のパイプに代えて中実の棒状部材を使用しても良い。また、金属製のものに限らず、例えば樹脂製、木製等であっても良い。
【００４４】
握り部１ｂは着座者が容易に握ることが可能な長さを有している。なお、握り部１ｂに手の形状に対応したグリップ等を設けるようにしても良い。また、本実施形態では、ストレッチ補助具１の両端が取付部１ａとなっている。両端の取付部１ａには取付用のねじ９を通す小孔１５がそれぞれ設けられている。図２および図３に示すように、小孔１５にねじ９を通して対応する被取付部５のねじ孔１０にねじ込むことで、取付部１ａは被取付部５にねじ止めされる。ストレッチ補助具１を取り付けた状態では、握り部１ｂが座６又は背もたれ７の側面から突出してリング状となり、リング状の部分に手の指又は甲を差し入れることで握り部１ｂをしっかりと掴むことができる。
【００４５】
椅子用ストレッチ補助具１の取付位置は、着座者がストレッチ運動を行なう場合に利用できる位置であれば特に制限されるものではないが、例えば椅子の座６、背もたれ７、ヘッドレスト１６のいずれかに取り付けられることが好ましい。即ち、ストレッチ補助具１の取付部１ａが、椅子の座６、背もたれ７、ヘッドレスト１６のいずれかに取り付けられるものであることが好ましい。本実施形態では、左右一対の被取付部５が座６のアウタシェル１１と背もたれ７にそれぞれ設けられている点は上述の通りであり、座６と背もたれ７の両方に左右一対のストレッチ補助具１が取り付けられている。ただし、座６と背もたれ７の両方にストレッチ補助具１を取り付ける必要はなく、いずれか一方にのみ取り付けるようにしても良い。また、ヘッドレスト１６に取り付けるようにしても良く、この場合、座６とヘッドレスト１６の両方にストレッチ補助具１を取り付けても、背もたれ７とヘッドレスト１６の両方にストレッチ補助具１を取り付けても、座６と背もたれ７とヘッドレスト１６の全てにストレッチ補助具１を取り付けても良い。
【００４６】
椅子用つぼ押し具３の取付位置は、突起１７によって着座者のつぼを刺激できる位置であれば特に制限されるものではないが、例えば椅子の座６、背もたれ７、ヘッドレスト１６、脚羽根８のいずれかに取り付けられることが好ましい。即ち、つぼ押し具３の取付部３ａが、椅子の座６、背もたれ７、ヘッドレスト１６、脚羽根８のいずれかに取り付けられるものであることが好ましい。なお、本実施形態のヘッドレスト１６は、詳しくは後述するように突起１７を有しているので、ヘッドレスト１６にはつぼ押し具３を取り付ける必要はない。
【００４７】
図５に、座６又は背もたれ７に取り付けられる椅子用つぼ押し具３を示す。つぼ押し具３は、椅子への取付部３ａと、着座者のつぼを刺激する突起１７を備えている。本実施形態のつぼ押し具３は、椅子の身体支持面１８に被されるシート状部材１９を備えており、突起１７はシート状部材１９に設けられている。
【００４８】
シート状部材１９は、例えば樹脂製のシートであり、両端の取付部３ａを座６又は背もたれ７の表側から裏側に回り込ませて左右の被取付部５に取り付けることができる長さと柔軟性を有している。本実施形態では、つぼ押し具３全体をシート状部材１９で構成し、その両端が取付部３ａとなっている。ただし、このような構成に限るものではなく、例えばシート状部材１９の両端に取付部３ａとなる小片等を設けるようにしても良い。また、シート状部材１９は樹脂製のものに限らず、例えばゴム製のもの、布製のもの、皮製のもの、メッシュ状のもの等でも良い。さらに、シート状部材１９の突起１７が設けられている領域と両端の取付部３ａとの間には複数の薄肉部１９ａが形成されており、座６又は背もたれ７の両側部の形状に沿ったシート状部材１９の曲げを容易にしている。本実施形態では、薄肉部１９ａは波線状に形成されている。ただし、波線状に限るものではなく、例えば直線状、ジグザグ状、その他の線状でも良い。さらに本実施形態では、薄肉部１９ａを左右に４本ずつ設けているが、設ける数は４本ずつに限るものではない。両端の取付部３ａには取付用のねじ９を通す小孔２０がそれぞれ２箇所ずつ設けられている。各取付部３ａは座６又は背もたれ７の被取付部５とストレッチ補助具１の取付部１ａとの間に挟み込まれ、ストレッチ補助具１の取付部１ａと一緒に被取付部５に取り付けられる。即ち、座６用のつぼ押し具３と背もたれ７用のつぼ押し具３はストレッチ補助具１と一緒に取り付けられている。
【００４９】
シート状部材１９が被される身体支持面１８は着座者を支える面であり、例えば座６の場合には上面、背もたれ７の場合には前面、ヘッドレスト１６の場合には前面等である。本実施形態では、座６用のつぼ押し具３の場合は座６の上面に、背もたれ７用のつぼ押し具３の場合は背もたれ７の前面にそれぞれシート状部材１９が被され、被されている領域即ち着座者に当る領域に多数の突起１７が設けられている。突起１７はシート状部材１９と一体成形されている。ただし、突起１７をシート状部材１９とは別に形成し、シート状部材１９に取り付けるようにしても良い。突起１７の形状は、つぼを押すことができる形状であれば特に限定されるものではない。また全ての突起１７を同一形状・同一の大きさにしても良いが、複数の形状・複数の大きさの突起１７を組み合わせて使用しても良い。本実施形態では、座６用のつぼ押し具３は着座者の大腿部に突起１７が当るように、背もたれ７用のつぼ押し具３は着座者の背中の上半部に突起１７が当るように配置されて身体支持面１８に被されている。ただし、つぼ押し具３の配置はこれらに限るものではない。例えば、背もたれ７用のつぼ押し具３を着座者の背中の下半部（腰部）に突起１７が当るように配置することも可能である。
【００５０】
図６に脚羽根８に取り付けられるつぼ押し具３を示す。このつぼ押し具３は円弧状に湾曲した平面形状の板状部材であり、表側面には着座者のつぼを刺激する突起１７が多数設けられている。また、つぼ押し具３の裏面の両端の取付部３ａには取付ピン１３が設けられている。取付ピン１３を脚羽根８に設けられた被取付部４の小孔１４に挿入することで、２本の脚羽根８の先端の間に架け渡すようにしてつぼ押し具３が取り付けられる。なお、つぼ押し具３が架け渡されるようにして取り付けられる脚羽根８の本数は２本に限るものではなく、例えば３本、４本以上の間に架け渡すようにして取り付けても良く、さらには全て（本実施形態では５本）の脚羽根８の間に架け渡すようにして、換言すると放射状に配置された各脚羽根８の全周にわたって取り付けても良い。
【００５１】
本実施形態の椅子はヘッドレスト１６を備えている。図７にヘッドレスト１６を示す。ヘッドレスト１６は例えば樹脂製の弾力性を有する板状部材であり、その前面１６ａには着座者の頭のつぼを刺激する突起１７が多数設けられている。ただし、ヘッドレスト１６は樹脂製のものに限るものではなく、他の材料によって形成されていても良い。ヘッドレスト１６は平板状のものでも良いが、頭部を包み込みように湾曲するものであっても良い。また、ヘッドレスト１６は板状部材に限るものではない。ヘッドレスト１６には取付ステー１６ｂが設けられており、取付ステー１６ｂの下端を背もたれ７の裏面に例えばねじ止めすることでヘッドレスト１６が背もたれ７に取り付けられる。
【００５２】
ストレッチ補助具１、つぼ押し具３、ヘッドレスト１６は、通常の椅子に後付け可能であり、着脱可能である。
【００５３】
使用者が座６に座り、背もたれ７及びヘッドレスト１６に寄り掛かると、着座者の大腿部、背中、後頭部のつぼがつぼ押し具３又はヘッドレスト１６の突起１７によって適度に刺激され、指圧効果を得ることができると共に、癒やされてリラックスすることができる。また、着座者が脚羽根８に取り付けたつぼ押し具３に足を載せると、足裏のつぼが突起１７によって適度に刺激され、指圧効果を得ることができると共に、癒やされてリラックスすることができる。
【００５４】
また、着座者は、ストレッチ補助具１の握り部１ｂを掴みながら身体をひねったり伸ばしたりしてストレッチ運動を行うことができる。握り部１ｂはしっかり掴みやすいものであり、身体を支えるのが容易である。したがって、椅子の座６や背もたれ７を直接掴む場合のように手が滑って外れることが起き難い。また、張り地を掴むものではないので、張り地を汚し難い。
【００５５】
なお、上述の形態は本発明の好適な形態の一例ではあるがこれに限定されるものではなく本発明の要旨を逸脱しない範囲において種々変形実施可能である。
【００５６】
例えば、上述の説明では、一つの椅子にストレッチ補助具１と、つぼ押し具３と、突起１７を有するヘッドレスト１６とを取り付けているが、これら全てを一緒に取り付ける必要はなく、これらのうちのいずれか一つのみを取り付けても良く、あるいはこれらのうちのいずれか二つを組み合わせて取り付けても良い。例えば、図８に示すように、ストレッチ補助具１のみを取り付けるようにしても良く、又は、例えば図９又は図１０に示すように、つぼ押し具３のみを取り付けるようにしても良く、又は、例えば図１１に示すように、ヘッドレスト１６のみを取り付けるようにしても良い。また、つぼ押し具３のみを取り付ける場合には、例えば図９に示すように、座６用のつぼ押し具３と背もたれ７用のつぼ押し具３のみを取り付けるようにしても良く、あるいは、例えば図１０に示すように、脚羽根８用のつぼ押し具３のみを取り付けるようにしても良い。さらには、特に図示はしていないが、座６用のつぼ押し具３のみを取り付けても良く、又は、背もたれ７用のつぼ押し具３のみを取り付けても良い。また、ストレッチ補助具１についても、座６用のストレッチ補助具１のみを取り付けても良く、背もたれ７用のストレッチ補助具１のみを取り付けても良い。ストレッチ補助具１およびつぼ押し具３の組み合わせは適宜可能である。
【００５７】
また、例えば図１２及び図１３に示すように、ストレッチ補助具１を座６と背もたれ７の両方にわたる長さの手摺状のものとしても良い。この例のストレッチ補助具１の握り部１ｂは例えば金属製の丸パイプであり、座６および背もたれ７の形状および配置に合わせて曲げられており、座６又は背もたれ７との間に握り部１ｂを掴むのに適した間隔をあけて配置されている。ただし、このような形状の丸パイプに限るものではない。また、丸パイプに代えて、角パイプ等を使用しても良く、さらには中空のパイプに代えて中実の棒状部材を使用しても良い。また、金属製のものに限らず、例えば樹脂製、木製等であっても良い。下端が取付部１ａとなっている支持部材１ｃは握り部１ｂの座６に対向する位置に固着されている。取付部１ａには取付用のねじ９を通す小孔１５が３箇所に設けられている。この取付部１ａは肘掛け２１の取付部２１ａと同じものとなっており、肘掛け２１に代えてストレッチ補助具１を被取付部５に取り付けることができる。
【００５８】
また、例えば図１２及び図１３に示すように、つぼ押し具３を球状のものとしても良い。この例では、手摺状のストレッチ補助具１と２本の脚羽根８に球状のつぼ押し具３を取り付けている。この例のつぼ押し具３は球状の弾性体３ｃの表面に多数の突起１７を形成したものである。球状の弾性体３ｃの底部には取付部３ａとしてのピン（図示省略）が設けられており、ストレッチ補助具１に設けられている第２の被取付部４又は脚羽根８に設けられている被取付部４に形成された孔（図示省略）にピンを挿入することでつぼ押し具３が取り付けられている。ただし、ストレッチ補助具１の取り付け手段としては、必ずしもピンと孔によるものではなく、他の手段によって取り付けるようにしても良い。また、必ずしもストレッチ補助具１と脚羽根８の両方に球状のつぼ押し具３を取り付ける必要はなく、いずれか一方でも良い。また、この例では、握り部１ｂの座６の前端に対応する位置および背もたれ７の上端に対応する位置に球状のつぼ押し具３を取り付けていたが、取付位置はこれらの位置に限るものではなく、他の位置に取り付けるようにしても良い。さらに、左右の握り部１ｂに球状のつぼ押し具３を２個ずつ取り付けていたが、取り付ける個数は２個ずつに限るものではなく、１個ずつでも良く、あるいは３個以上ずつでも良い。また、２本の脚羽根８につぼ押し具３を取り付けていたが、つぼ押し具３を取り付ける脚羽根８の本数は２本に限るものではなく、１本又は３本以上でも良い。さらに、ストレッチ補助具１および脚羽根８以外の部材、例えば座６の側面や背もたれ７の側面等につぼ押し具３を取り付けるようにしても良い。
【００５９】
また、上述の説明では、椅子の座６や背もたれ７の左右に対となるストレッチ補助具１を取り付けるようにしていたが、左右のいずれか一方にのみストレッチ補助具１を取り付けるようにしても良い。また、座６の左右のいずれか一方にのみストレッチ補助具１を取り付けた場合には、図３に示すように、他方に肘掛け２１を取り付けるようにしても良い。
【００６０】
また、上述の説明では、肘掛け２１を取り付ける被取付部を被取付部５として利用して座６用のストレッチ補助具１を取り付けるようにしていたが、座６用のストレッチ補助具１を取り付けるための専用の被取付部５を肘掛け２１用の被取付部とは別に設け、この専用の被取付部５に座６用のストレッチ補助具１を取り付けるようにしても良い。即ち、ストレッチ補助具１と肘掛け２１の両方を併用するようにしても良い。
【００６１】
また、上述の説明では、ストレッチ補助具１とつぼ押し具３とを共通の被取付部５に一緒に取り付けるようにしていたが、ストレッチ補助具１用の被取付部（第１の被取付部２）とつぼ押し具３用の被取付部（第２の被取付部４）とを別々に設け、ストレッチ補助具１とつぼ押し具３とを別々に取り付けるようにしても良い。即ち、ストレッチ補助具１が取り付けられる第１の被取付部２とつぼ押し具３が取り付けられる第２の被取付部４を別々に設けても良い。
【００６２】
また、上述の説明では、ストレッチ補助具１やつぼ押し具３の取付手段としてねじ９を使用していが、ねじ９に限るものではない。例えば、つぼ押し具３を袋状に作成し、椅子の背もたれ７あるいは座６に被せるようにして取り付けることも可能である。
【００６３】
また、上述の説明のヘッドレスト１６は突起１７を有するものであるが、このようなヘッドレスト１６に代えて、突起１７を有していない通常のヘッドレストにストレッチ補助具１を取り付けるようにしても良い。また、突起１７を有していない通常のヘッドレストにつぼ押し具３を取り付けるようにしても良い。
【００６４】
また、例えば図１４に示すように、握り部１ｂに着座者のつぼを刺激する突起１７を設けるようにしても良い。この場合には、ストレッチ運動を行ないながら掌のつぼを刺激して指圧効果も一緒に得ることができる。
【００６５】
また、身体支持面１８のサイズに応じて伸縮可能なサイズ調整部２２を設けても良い。この例を図１５に示す。この例では、シート状部材１９の両端にサイズ調整部２２を設けている。ただし、サイズ調整部２２としてはこれに限るものではなく、例えば薄肉部１９ａをゴム状に設けることでサイズ調整部２２としても良い。本実施形態のサイズ調整部２２は例えば伸縮可能なゴム状部材で形成されている。ただし、サイズ調整を可能にするものであればゴム状部材に限るものではない。取付部３ａは、サイズ調整部２２に形成されている。サイズ調整部２２を設けることで、身体支持面１８のサイズに合わせてシート状部材１９の長さを調整することができるので、身体支持面１８のサイズ別にシート状部材１９を作る必要がなくなり、製造コストの増加を抑えることができると共に、汎用性を高めることができる。
【００６６】
さらに、上述の説明では、ストレッチ補助具１とつぼ押し具３を椅子とは別体にして取り付け・取り外しを可能にしていたが、ストレッチ補助具１やつぼ押し具３を椅子と一体的に設けるようにしても良い。即ち、握り部１ｂを椅子の座６、背もたれ７、ヘッドレスト１６のうち少なくともいずれか一つに一体成形しても良く、突起１７を椅子の座６、背もたれ７、ヘッドレスト１６、脚羽根８のうち少なくともいずれか一つに一体成形しても良い。また、握り部１ｂを座６、背もたれ７、ヘッドレスト１６のうち少なくともいずれか一つに一体成形すると共に、突起１７を座６、背もたれ７、ヘッドレスト１６、脚羽根８のうち少なくともいずれか一つに一体成形しても良い。握り部１ｂや突起１７を一体成形することで、別々に形成して取り付ける場合に比べて、製造コストを安くすることができる。
【符号の説明】
【００６７】
１  椅子用ストレッチ補助具
１ａ  椅子用ストレッチ補助具の取付部
１ｂ  椅子用ストレッチ補助具の握り部
２  第１の被取付部
３  椅子用つぼ押し具
３ａ  椅子用つぼ押し具の取付部
４  第２の被取付部
５  共通の被取付部
６  座
７  背もたれ
８  脚羽根
１６  ヘッドレスト
１７  突起
１８  身体支持面
１９  シート状部材
２１  肘掛け
２２  サイズ調整部
【図１】
2010172450.tif 000003
【図２】
2010172450.tif 000004
【図３】
2010172450.tif 000005
【図４】
2010172450.tif 000006
【図５】
2010172450.tif 000007
【図６】
2010172450.tif 000008
【図７】
2010172450.tif 000009
【図８】
2010172450.tif 000010
【図９】
2010172450.tif 000011
【図１０】
2010172450.tif 000012
【図１１】
2010172450.tif 000013
【図１２】
2010172450.tif 000014
【図１３】
2010172450.tif 000015
【図１４】
2010172450.tif 000016
【図１５】
2010172450.tif 000017